(57)【要約】【課題】載置された書籍がページ数の少ない薄いものであっても、当該書籍のページを１ページごと確実に捲ることができる書見台を提供すること。【解決手段】書籍を載置する載置板１と、この載置板１の表面に沿って上下方向に伸び、その左右方向に移動自在に設けられた２本の棒状部材２Ａ，２Ｂとを備えてなり、前記棒状部材２Ａ，２Ｂは、その一方２Ａが、前記載置板１に載置された書籍９の表紙９１Ａの内側に挿入されるとともに、その他方２Ｂが、当該書籍９の裏表紙９１Ｂの内側に挿入されるよう配設される。また、本考案の書見台は、ゴム弾性体を有するページ捲り補助具を備えていることが好ましい。【選択図】    図５
0003113916.tif 000002
【実用新案登録請求の範囲】
【請求項１】
書籍を載置する載置板（１）と、
この載置板（１）の表面に沿って上下方向に伸び、その左右方向に移動自在に設けられた２本の棒状部材（２Ａ，２Ｂ）とを備えてなり、
前記棒状部材（２Ａ，２Ｂ）は、その一方（２Ａ）が、前記載置板（１）に載置された書籍の表紙の内側に挿入されるとともに、その他方（２Ｂ）が、当該書籍の裏表紙の内側に挿入されるよう配設されることを特徴とする書見台。
【請求項２】
書籍を載置する載置板と、
この載置板の表面に沿って移動自在に設けられた２個の凸状部材とを備えてなり、
前記凸状部材は、その一方が、前記載置板に載置された書籍の表紙の内側に挿入されるとともに、その他方が、当該書籍の裏表紙の内側に挿入されるよう配設されることを特徴とする書見台。
【請求項３】
ゴム弾性体を有するページ捲り補助具を備えていることを特徴とする請求項１または２に記載の書見台。
【考案の詳細な説明】
【技術分野】
【０００１】
本考案は、載置した書籍のページを確実に捲ることのできる書見台に関する。
【背景技術】
【０００２】
書見台においては、書籍のページを１ページごと確実に捲れることが重要である。従来、載置した書籍のページの捲りやすさの向上を企図して、種々の構造の書見台が提案されている（例えば、特許文献１〜３参照）。
【０００３】
他方、紙を捲るための治具（補助具）においても種々の提案がなされており（例えば、特許文献４〜５参照）、このような治具によれば、手指で行うよりも容易に捲ることができるとされている。
【特許文献１】実開平５−８０３２６号公報
【特許文献２】実開平６−８１３３１号公報
【特許文献３】実開平８−  １２５８号公報
【特許文献４】特開平１０−１５７３３３号公報
【特許文献５】特開２０００−２５５１８４号公報
【考案の開示】
【考案が解決しようとする課題】
【０００４】
然るに、書見台に載置した書籍がページ数の少ない薄いものである場合には、当該書籍のページを１ページごと確実に捲ることはきわめて困難である。
これは、図７（１）に示すように、薄い書籍９０における見開きの各ページの紙面は、実質的に平坦面となるため、当該ページに係る紙を捲りにくく、また、速く捲ろうと摺接すると、同図（２）に示すように、当該ページに係る紙に弛みＳが生じ、紙が折れて皺になるという問題がある。
【０００５】
本考案は、以上のような事情に基いてなされたものであって、その目的は、載置された書籍がページ数の少ない薄いものであっても、当該書籍のページを１ページごと確実に捲ることができる書見台を提供することにある。
【課題を解決するための手段】
【０００６】
本考案の書見台は、書籍を載置する載置板（１）と、この載置板（１）の表面に沿って上下方向に伸び、その左右方向に移動自在に設けられた２本の棒状部材（２Ａ，２Ｂ）とを備えてなり、前記棒状部材（２Ａ，２Ｂ）は、その一方（２Ａ）が、前記載置板（１）に載置された書籍の表紙の内側に挿入されるとともに、その他方（２Ｂ）が、当該書籍の裏表紙の内側に挿入されるよう配設されることを特徴とする。
本考案の書見台においては、ゴム弾性体を有するページ捲り補助具を備えていることが好ましい。
【考案の効果】
【０００７】
一方の棒状部材が、前記載置板に載置された書籍の表紙の内側に挿入されるとともに、他方の棒状部材が、当該書籍の裏表紙の内側に挿入されることにより、当該書籍の位置が固定され、さらに、その見開きの各ページの紙面（紙）は、挿入された棒状部材によって湾曲した（撓んだ）状態となる。
このような湾曲した紙面に対して手指または治具によって摺接すると、弛みや皺などを発生させることなく、当該紙を容易かつ確実に捲ることができる。この結果、ページ数の少ない薄い書籍であっても１ページごと確実にページを捲ることができる。
また、ゴム弾性体を有するページ捲り補助具を使用することにより、摺接時の摩擦力が増加して更に捲りやすさを向上させることができる。
【考案を実施するための最良の形態】
【０００８】
以下、本考案について図面を用いて具体的に説明する  
図１は、本考案の書見台の一例を示す斜視図であり、図２および図３は、それぞれこの書見台を示す側面図および背面図である。
【０００９】
図１乃至３に示す書見台は、書籍を載置する載置板１と、この載置板１の表面に沿って上下方向（図１中Ｙ方向）に伸び、左右方向（図１中Ｘ方向）に移動自在に設けられた棒状部材２Ａ，２Ｂとを備えてなる点に特徴を有している。
【００１０】
載置板１は、書籍が載置される表面を有し、載置板１の下方には、載置する書籍の下端面が当接される保持部３が設けられている。
この保持部３には、ストッパー４Ａ，４Ｂが設けられ、このストッパー４Ａ，４Ｂは、書籍の見開きの各ページの下端部が挿入され、これにより、読者がページを捲って次の紙を挿入するまで、所望の見開き状態が維持される。
【００１１】
載置板１の裏面には、ヒンジ部５１を介してスタンド（支持脚）５が設けられており、このスタンド５を軸部５２を中心に回動させることによって、載置板１の傾斜角（θ）を適宜調整することができる。
【００１２】
載置板１には、図示しない連結紐を介してページ捲り補助具６が取付けられている。
ページ捲り補助具６は、図４に示すように、ゴム弾性体からなる摺接部６１と、半円形状の把手部６２とからなる。６３は、摺接部６１と把手部６２とを強固に接合するための板状金具である。
【００１３】
ページ捲り補助具６を使用することにより、手指で摺接する場合と比較して、摺接時の摩擦力（ゴム弾性体による摩擦力）が大きくなり、捲りやすさが格段に向上する。なお、ページ捲り補助具はゴム弾性体のみからなるものであってもよく、その形状も特に限定されるものではない。
【００１４】
棒状部材２Ａ，２Ｂの外径は、見開きの各ページの紙面に好適な湾曲状態を形成する観点から１０〜２０ｍｍ程度であることが好ましい。
棒状部材２Ａ，２Ｂの材質としては特に限定されるものではなく、木材、プラスチック、金属などを例示することができる。
【００１５】
棒状部材２Ａ，２Ｂの上端部には、それぞれ、掛止用金具７Ａ，７Ｂが装着されている。そして、掛止用金具７Ａ，７Ｂのそれぞれが載置板１の上端部に掛止されることにより、棒状部材２Ａ，２Ｂのそれぞれが、載置板１の表面に沿って上下方向（図１中Ｙ方向）に伸びるよう取付けられている。
掛止用金具７Ａ，７Ｂは左右方向（図１中Ｘ方向）に移動することができ、これにより、載置する書籍のサイズに応じて棒状部材２Ａ，２Ｂの配設位置（後述する書籍への挿入位置）を適宜調整することができる。
【００１６】
図５（１）は、この書見台の使用状態を示す正面図であり、同図（２）は、同図（１）のＤ−Ｄ断面図である。
書見台の使用時において、載置板１に載置された書籍９の表紙９１Ａの内側には、棒状部材２Ａが挿入され、当該書籍９の裏表紙９１Ｂの内側には、棒状部材２Ｂが挿入されている。
これにより、載置台１と棒状部材２Ａとで表紙９１Ａが挟持されるとともに、載置台１と棒状部材２Ｂとで裏表紙９１Ｂが挟持され、この結果、載置板１の表面における書籍９の位置が固定される。
【００１７】
さらに、当該書籍９の見開きページの紙面９Ａ／９Ｂは、表紙９１Ａ／裏表紙９１Ｂの内側に挿入された棒状部材２Ａ／２Ｂによって、それぞれ湾曲した（撓んだ）状態となる。
そして、このような湾曲した紙面（例えば紙面９Ｂ）に対して手指または治具によって摺接することにより、弛みや皺などを発生させるこなく、容易かつ確実に、ページを捲ることができる。
【００１８】
以上のように、棒状部材２Ａ，２Ｂを、それぞれ、載置板１の表面に載置された書籍９の表紙９１Ａ，裏表紙９１Ｂの内側に挿入されるよう配設することにより、当該書籍９がページ数の少ない薄いものであっても、そのページを１ページごと確実に捲ることができる。
【００１９】
以上、本考案の書見台の一例について説明したが、本考案はこれらに限定されるものでなく種々の変更が可能である。
例えば、図６に示すように、棒状部材２Ａに代えて、複数の棒状部材８１Ａ，８２Ａ，８３Ａの連結体（８４Ａはこれらの棒状部材および掛止用金具７Ａを連結する紐である）を備え、棒状部材２Ｂに代えて、複数の棒状部材８１Ｂ，８２Ｂ，８３Ｂの連結体（８４Ｂはこれらの棒状部材および掛止用金具７Ｂを連結する紐である）を備えてなるものであってもよい。
【００２０】
また、２本の棒状部材（２Ａ，２Ｂ）に代えて、載置板（１）の表面に沿って移動自在に設けられた２個の凸状部材を備えてなり、これら凸状部材の一方が、載置板に載置された書籍の表紙の内側に挿入されるとともに、その他方が、当該書籍の裏表紙の内側に挿入されるよう配設されるものであってもよい。
ここに、凸状部材は、これらが表紙／裏表紙の内側に挿入されたときのページ（見開きの各ページ）を湾曲状態とすることができるものであれば、その形状は特に限定されるものではない。
【産業上の利用可能性】
【００２１】
本考案の書見台は、載置した書籍に触れることなく見開きページの内容を読むことができ、改頁の際には、当該書籍のページを確実に捲ることのできる書見台として利用される。
【図面の簡単な説明】
【００２２】
【図１】本考案の書見台の一例を示す斜視図である。
【図２】図１に示した書見台の側面図である。
【図３】図１に示した書見台の背面図である。
【図４】ページ捲り補助具の形状を示す説明図であり、（１）は平面図、（２）は（１）のＣ−Ｃ断面図である。
【図５】図１に示した書見台の使用状態を示す説明図であり、（１）は正面図、（２）は（１）のＤ−Ｄ断面図である。
【図６】本考案の書見台の他の例を示す斜視図である。
【図７】従来の書見台に載置された薄い書籍における見開きの各ページの紙面の状態を示す説明図である。
【符号の説明】
【００２３】
１    載置板
２Ａ，２Ｂ  棒状部材
３    保持部
４Ａ，４Ｂ  ストッパー
５    スタンド
５１  ヒンジ部
５２  軸部
６    ページ捲り補助具
６１  摺接部
６２  把手部
６３  板状金具
７Ａ，７Ｂ  掛止用金具
８１Ａ，８２Ａ，８３Ａ  棒状部材
８１Ｂ，８２Ｂ，８３Ｂ  棒状部材
８４Ａ，８４Ｂ  連結紐
９    書籍
９１Ａ  表紙
９１Ｂ  裏表紙
９Ａ，９Ｂ  見開きのページの紙面
【図１】
0003113916.tif 000003
【図２】
0003113916.tif 000004
【図３】
0003113916.tif 000005
【図４】
0003113916.tif 000006
【図５】
0003113916.tif 000007
【図６】
0003113916.tif 000008
【図７】
0003113916.tif 000009